(57)【要約】      （修正有）【課題】狭くて深い位置でベース部材に固定されているヘッドの交換作業を容易にできるヘッド脱着治具の提供。【解決手段】ヘッド脱着治具２００は、治具フレームと、治具フレームに対して回転及び上下動作可能に保持された中間ビット２０２とを備え、中間ビット２０２の先端部は、ヘッド１０１をアレイベース部材に締結している固定ネジ１１０の頭頂部に嵌まり合って固定ネジ１１０を回転させることが可能な形状を有し、中間ビット２０２の頭頂部は、他の工具によって中間ビット２０２を回転可能な形状を有している。【選択図】図６
2014162220.tif 000002
【特許請求の範囲】
【請求項１】
ベース部材上に締結部材で固定されているヘッドの交換を行うときの前記ヘッドの脱着に使用するヘッド脱着治具であって、
前記ヘッドに着脱可能なフレーム部材と、
前記フレーム部材に回転及び進退動可能に保持された先端工具と、を備え、
前記先端工具の先端部は、前記ヘッドの締結部材を回転させることが可能な形状を有し、
前記先端工具の頭頂部は、前記先端工具とは異なる工具によって該先端工具を回転可能な形状を有している
ことを特徴とするヘッド脱着治具。
【請求項２】
前記先端工具を前記ヘッドの締結部材に向けて加圧する手段を有することを特徴とする請求項１に記載のヘッド脱着治具。
【請求項３】
前記フレーム部材には、前記ヘッドに対して水平方向の位置を決めるガイド部が設けられていることを特徴とする請求項１又は２に記載のヘッド脱着治具。
【請求項４】
ベース部材上に締結部材で固定されているヘッドの交換を行うときに使用するヘッド交換治具であって、
フレーム部材と、
前記フレーム部材に進退動及び回転可能に保持され、前記ベース部材に前記ヘッド交換治具を固定する治具固定ネジと、を有し、
前記治具固定ネジの先端部は、前記ベース部材にねじ込み可能な形状を有し、
前記治具固定ネジの頭頂部は、工具によって該治具固定ネジを回転させることが可能な形状を有している
ことを特徴とするヘッド交換治具。
【発明の詳細な説明】
【技術分野】
【０００１】
本発明はヘッド脱着治具、ヘッド交換治具に関する。
【背景技術】
【０００２】
プリンタ、ファクシミリ、複写装置、プロッタ、これらの複合機等の画像形成装置として、例えばインク液滴を吐出する液体吐出ヘッド（液滴吐出ヘッド）からなる記録ヘッドを用いた液体吐出記録方式の画像形成装置としてインクジェット記録装置などが知られている。
【０００３】
このような画像形成装置において、ヘッド不良が発生したときにヘッド交換を行えるようにすることが知られている。
【０００４】
例えば、ヘッド保持部材に保持されたインクを吐出する記録ヘッドを取り外し、ヘッド保持部材に新たに記録ヘッドを保持させる際、該新たに保持される記録ヘッドのヘッド保持部材に対する位置を位置調整用治具によって調整する記録ヘッドの位置調整方法であって、取り外す記録ヘッドがヘッド保持部材に保持された状態で、位置調整用治具をヘッド保持部材に装着する第１の工程と、第１の工程の後に、位置調整治具を第１の工程時の状態に維持させた状態で取り外す記録ヘッドをヘッド保持部材から取り外す第２の工程と、第２の工程の後に、新たに保持される記録ヘッドを第１の工程時の状態に維持された位置調整用治具を介してヘッド保持部材に装着する第３の工程とを行うことが知られている（（特許文献１）。
【先行技術文献】
【特許文献】
【０００５】
【特許文献１】特開２０１０−１７３２４２号公報
【発明の概要】
【発明が解決しようとする課題】
【０００６】
ところで、特に複数のヘッドをベース部材上に配列した構成のライン型ヘッドを備える画像形成装置にあっては、配列されるヘッド間の隙間が非常に狭くなっている。また、ヘッドに液体を供給するヘッドタンクを一体化したヘッドユニットを備える場合、ヘッドユニット全体の高さが高くなる。
【０００７】
そのため、ヘッド交換を行うには、ヘッド間の非常に狭く深い空間に、ヘッド交換治具を固定し、さらに交換前ヘッドを取り外し、新しいヘッドを位置決めして固定することとなる。
【０００８】
より具体的には、ヘッド交換時には、ヘッド間の非常に狭く深い空間の底部に位置している、ヘッドをベース部材に固定する固定ネジやヘッド交換治具自体をベース部材に固定する固定ネジに対し、ドライバでアクセスすることが必要になる。
【０００９】
そのため、視認性が悪く、作業性が悪い上、ヘッド及びヘッド交換治具の脱着時に固定ネジを脱落させるなどの不具合が発生するという課題がある。
【００１０】
本発明は上記の課題に鑑みなされたものであり、ヘッド交換作業を容易にすることを目的とする。
【課題を解決するための手段】
【００１１】
上記の課題を解決するため、本発明に係るヘッド交換治具は、
ベース部材上に締結部材で固定されているヘッドの交換を行うときの前記ヘッドの脱着に使用するヘッド脱着治具であって、
前記ヘッドに着脱可能なフレーム部材と、
前記フレーム部材に回転及び進退動可能に保持された中間ビットと、を備え、
前記中間ビットの先端部は、前記ヘッドの締結部材を回転させることが可能な形状を有し、
前記中間ビットの頭頂部は、工具によって該中間ビットを回転可能な形状を有している
構成とした。
【発明の効果】
【００１２】
本発明によれば、狭くて深い位置で固定されているヘッドの交換を容易に行うことができる。
【図面の簡単な説明】
【００１３】
【図１】本発明に係るヘッド脱着治具及びヘッド交換治具を使用してヘッド交換を行う画像形成装置の一例の全体構成を説明する概略構成図である。
【図２】同装置の模式的平面説明図である。
【図３】ヘッドの一例を示す斜視説明図である。
【図４】同ヘッドの平面説明図である。
【図５】本発明の第１実施形態に係るヘッド脱着治具の斜視説明図である。
【図６】同ヘッド脱着治具をヘッドにセットするときの状態の説明に供する斜視説明図である。
【図７】本発明に係るヘッド交換治具の一例の斜視説明図である。
【図８】同ヘッド交換治具の正面説明図である。
【図９】同ヘッド交換治具をヘッドにセットした状態の説明に供する平面説明図である。
【図１０】同じく底面説明図である。
【図１１】ヘッド交換治具及びヘッド脱着治具の固定手順の説明に供する説明図である。
【図１２】交換するヘッドの固定ネジを外す手順の説明に供する説明図である。
【図１３】交換するヘッドを取り外す手順の説明に供する説明図である。
【図１４】新しいヘッドにヘッド脱着治具をセットする手順の説明に供する説明図である。
【図１５】新しいヘッドをアレイベース部材に仮止めして位置調整する手順の説明に供する説明図である。
【図１６】新しいヘッドのヘッド位置調整手順の説明に供する説明図である。
【図１７】治具を取り外す手順の説明に供する説明図である。
【図１８】本発明の第２実施形態に係るヘッド脱着治具の斜視説明図である。
【発明を実施するための形態】
【００１４】
以下、本発明の実施の形態について添付図面を参照して説明する。まず、本発明に係るヘッド脱着治具及びヘッド交換治具を使用してヘッド交換を行う画像形成装置の一例について図１及び図２を参照して説明する。図１は同画像形成装置の全体構成を説明する概略構成図、図２は同装置の模式的平面説明図である。
【００１５】
この画像形成装置はライン型画像形成装置である。装置本体１と、用紙Ｐを積載し給紙する給紙トレイ２と、印刷された用紙Ｐを排紙積載する排紙トレイ３とを有している。そして、装置本体１内に、用紙Ｐを給紙トレイ２から排紙トレイ３まで搬送する搬送部４と、搬送部４によって搬送される用紙Ｐに液滴を吐出し印字する記録ヘッドを構成する画像形成部５が配置されている。また、装置本体１内には、印刷終了後又は所要のタイミングで画像形成部５の各記録ヘッドの維持回復を行う維持回復機構であるヘッドメンテナンス装置６を備えている。また、ヘッドメンテナンス装置６のキャップ部材、ワイパ部材（ブレード手段）を清掃（クリーニング）するクリーナ装置７を備えている。
【００１６】
装置本体１は、図示しない前後側板及びステーなどで構成されており、給紙トレイ２上に積載されている用紙Ｐは、分離ローラ２１及び給紙ローラ２２によって１枚ずつ搬送部４に給紙される。
【００１７】
搬送部４は、搬送駆動ローラ４１Ａと搬送従動ローラ４１Ｂと、これらのローラ４１Ａ、４１Ｂ間に掛け回された無端状の搬送ベルト４３とを備えている。この搬送ベルト４３の表面には複数の図示しない吸引穴が形成されており、搬送ベルト４３の下部には用紙Ｐを吸引する吸引ファン４４が配置されている。また、搬送駆動ローラ４１Ａ、搬送従動ローラ４１Ｂ上部には、それぞれ搬送ガイドローラ４２Ａ、４２Ｂが図示しないガイドに保持されて、自重にて搬送ベルト４３に当接している。なお、吸引穴は空吐出を行うときにも使用される。
【００１８】
搬送ベルト４３は、搬送駆動ローラ４１Ａが図示しないモータにより回転されることで周回移動し、用紙Ｐは搬送ベルト４３上に吸引ファン４４により吸い付けられ、搬送ベルト４３の周回移動によって搬送される。なお、搬送従動ローラ４１Ｂ、搬送ガイドローラ４２Ａ、４２Ｂは搬送ベルト４３に従動して回転する。
【００１９】
搬送部４の上部には用紙Ｐに印字する液滴を吐出するヘッドアレイユニットで構成される画像形成部５が移動可能（ここでは昇降可能）に配置されている。
【００２０】
画像形成部５は、アレイベース部材５２上に固定された複数のヘッド１０１で構成される４つのヘッド列５１Ａ〜５１Ｄを有するヘッドアレイ（記録ヘッド）５０を備えている。この画像形成部５には、ヘッドアレイ５０の各ヘッド１０１にインクをそれぞれ供給する図示しない分岐部材が各色ごとに配列されている。この分岐部材上流側にはサブタンクが配置され、サブタンクとヘッドとの水頭差によって、ヘッド１０１のノズルのメニスカスを保持するのに適切な負圧が形成される。さらに、サブタンク上流側にはインクを貯蔵する交換可能なメインタンクが配置されている。
【００２１】
搬送部４の下流側には用紙Ｐを排紙トレイ３に排紙する搬送ガイド部４５が配置されている。搬送ガイド部４５にて搬送された用紙Ｐは排紙トレイ３に排紙される。排紙トレイ３は、用紙Ｐの幅方向を規制する対のサイドフェンス３１と用紙Ｐの先端を規制するエンドフェンス３２を備えている。
【００２２】
搬送部４の上方で画像形成部５の側方には、ヘッド１０１をメンテナンスするメンテナンス装置６が配置されている。メンテナンス装置６は、各ヘッド１０１に対応してノズル面をキャッピングするキャップ６１、キャップ６１に接続される吸引手段６３などを備えている。
【００２３】
ヘッドメンテナンス時には、画像形成部５が上昇し、スライド移動してメンテナンス装置６の上方に移動した後、画像形成部５の下部にあるメンテナンス装置６が上昇し、メンテナンス動作を行う。メンテナンス装置６は、印字中は、図１の位置に退避すると共に、画像形成部５も図１の位置に移動する。
【００２４】
メンテナンス装置６の上部にはキャップ６１などに付着した液滴（廃液）を清掃するクリーナ装置７が配置されている。このクリーナ装置７は、図示しないクリーナ移動手段によって用紙搬送面に対して鉛直方向に上下移動可能に配置されている。
【００２５】
次に、ヘッド１０１の構成について図３及び図４を参照して説明する。図３はヘッドの斜視説明図、図４はヘッドの平面説明図である。なお、ここでは、ヘッド長手方向を主走査方向、短手を副走査方向とするが、ヘッド自体は走査（移動）されるものではない。
【００２６】
ヘッド１０１は、ヘッド部１０２と、ヘッド部１０２へインクを供給するヘッドタンク１０３とを一体化して、ヘッドフレーム１０４に取り付けたヘッドユニットである。
【００２７】
ヘッドフレーム１０４には、ヘッド部１０２の図３で下側の面となるノズル面１０５に設けられたノズルとの位置が正確に出ている主走査方向基準面１０６及び副走査方向基準面１０７がそれぞれ設けられている。
【００２８】
また、ヘッドフレーム１０４の上部には、ヘッド１０１を固定するための固定穴１０８が３ヶ所設けられている。このヘッドフレーム１０４を締結部材であるヘッド固定ネジ１１０によってアレイベース部材５２に固定することで、ヘッド１０１をアレイベース部材５２に固定する。
【００２９】
また、ヘッドタンク１０３の上部には、後述するヘッド脱着治具２００を取付け固定するネジ穴１０９が設けられている。
【００３０】
次に、本発明の第１実施形態に係るヘッド脱着治具について図５を参照して説明する。
図５は同ヘッド脱着治具の斜視説明図である。
【００３１】
ヘッド脱着治具２００は、フレーム部材である治具フレーム２０１と、治具フレーム２０１に対して回転及び上下動作（進退動）可能に保持された先端工具であるビットに相当する中間ビット２０２とを備えている。後述するように、中間ビット２０２は、ドライバなどの工具とねじなどの締結部材との間に介在するビットである。
【００３２】
中間ビット２０２に止められたＥ形止め輪２０３と治具フレーム２０１との間には、中間ビット２０２を進出方向（ヘッド固定ねじを押す方向）に加圧する手段である加圧バネ２０４が設けられている。
【００３３】
中間ビット２０２の先端部２０２ａは、後述する図６に示すようにヘッド１０１をアレイベース部材５２に締結している締結部材であるヘッド固定ネジ１１０の頭頂部に嵌まり合ってヘッド固定ネジ１１０を回転させることが可能な形状を有している。ここでは、中間ビット２０２の先端部２０２ａはドライバ先端形状を有している。
【００３４】
中間ビット２０２の頭頂部２０２ｂは、治具フレーム２０１より上方に突出し、他の工具で中間ビット２０２を回転可能な形状を有している。ここでは、工具としてドライバを使用するので、ドライバのビットを嵌め込む凹部が形成された形状を有しているが、その他のスパナ、レンチなどの工具を使用する場合にはそれらの工具で回転可能な形状とすればよい。
【００３５】
また、治具フレーム２０１には、ヘッドタンク１０３と結果的にヘッドフレーム１０４との水平方向の位置を決める位置決めガイド部２０５が設けられている。さらに、治具フレーム２０１には、ヘッドタンク１０３のネジ穴１０９に締め付けて治具フレーム２０１をヘッド１０１に固定する治具脱着ネジ２０６を備えている。
【００３６】
なお、中間ビット２０２の長さは、ヘッド１０１のヘッド固定ネジ１１０とヘッドタンク１０３上面との距離よりも長いことが好ましい。
【００３７】
次に、ヘッド脱着治具をヘッドにセットするときの状態について図６を参照して説明する。図６は同説明に供する斜視説明図である。
【００３８】
まず、図６（ａ）に示すように、ヘッド１０１の上方よりヘッド脱着治具２００を、治具フレーム２０１の位置決めガイド部２０５がヘッドタンク１０３の側面と突き当たるようにして、ヘッド１０１上部と突き当たるまで下降させる（嵌め込む）。
【００３９】
その後、図６（ｂ）に示すように、ヘッド脱着治具２００の治具脱着ネジ２０６を締め付けてヘッドタンク１０３に固定する。この状態で、中間ビット２０２の先端部２０２ａは、加圧ばね２０５により押し付けられて、ヘッド固定ネジ１１０の頭頂部に嵌り合っている。
【００４０】
ヘッド固定ネジ１１０を固定若しくは取り外す場合には、中間ビット２０２がヘッド固定ネジ１１０を加圧した状態で行うことができるため、安定した状態で中間ビット２０２を工具により回転させることができる。
【００４１】
次に、本発明に係るヘッド交換治具の一例について図７及び図８を参照して説明する。図７は同ヘッド交換治具の斜視説明図、図８は同ヘッド交換治具の正面説明図である。
【００４２】
ヘッド交換治具３００は、主走査治具３０１と副走査治具３０２で構成されている。
【００４３】
主走査治具３０１には、フレーム部材３１１にヘッド１０１の主走査基準面１０６と当って接触して位置を調整する主走査調整テーパーネジ３１２と、ヘッド１０１を主走査方向及び副走査方向に加圧するバネ３１３、３１４とを備えている。
【００４４】
また、主走査治具３０１には、ヘッド交換治具３００を固定する治具固定ネジ３１５が設けられている。
【００４５】
この治具固定ネジ３１５は、上下動及び回転可能にフレーム部材３１１に保持されている。そして、脱着に必要なストローク以上にスライドしないように（ネジの抜け止めのために）Ｅ形止め輪３１６が装着されている。
【００４６】
また、治具固定ネジ３１５はの先端部３１５ａは、アレイベース部材５２にねじこみ可能な雄ねじ形状を有している。また、治具固定ネジ３１５の頭頂部３１５ｂは、工具によって治具固定ネジ３１５を回転可能な形状を有している。ここでは、工具としてドライバを使用するので、ドライバのビットを嵌め込む凹部が形成された形状を有しているが、その他のスパナ、レンチなどの工具を使用する場合にはそれらの工具で回転可能な形状とすればよい。
【００４７】
したがって、ここでは、治具固定ネジ３１５は段付きネジとしているが、これに限るものではない。
【００４８】
一方、副走査治具３０２には、フレーム部材３２１にヘッド１０１の副走査基準面１０７と当って接触して位置を調整する副走査調整テーパーネジ３２２と、副走査治具３０２を副走査方向に加圧する副走査治具加圧バネ３２３とを有している。
【００４９】
また、副走査治具３０２には、主走査治具３０１と同様に、ヘッド交換治具３００を固定する治具固定ネジ３１５が設けられている。
【００５０】
次に、ヘッド交換治具をヘッドにセットした状態について図９及び図１０を参照して説明する。図９は同セット状態の説明に供する平面説明図、図１０は同じく底面説明図である。
【００５１】
ヘッド交換治具３００の主走査調整テーパーネジ３１２の回転による上下動作でヘッド位置の主走査位置を調整する。副走査位置は、治具３００の副走査突き当て基準３２５を中心に副走査テーパーネジ３２２の回転による上下動作により回転動作し傾きを調整する。副走査の位置は、吐出タイミング補正で位置合わせすることができる。
【００５２】
ここで、治具固定ネジ３１５は、フレーム部材３１１．３２１の上部と下部に貫通して設けられ、その間に抜け止めのＥ形止め輪３１６が組み付けられた構成としている。このとき、図８の寸法Ａは、ヘッド交換治具３００の治具固定ネジ３１５を緩めて外すストロークより長く、かつ、ヘッド交換治具３００の下部で治具固定ネジ３１５がフレーム部材３１１、３１２と嵌め合う長さＢの寸法より短く設定する、
【００５３】
これにより、ヘッド交換治具３００の脱着に際して、治具固定ネジ３１５とフレーム部材３１１、３１２を一体化して作業でき、治具固定ネジ３１５が脱落する不具合もない。そして、アクセス部が治具上部に設けられているので、深い狭いエリアへのアクセスが解消され、作業性が向上する。
【００５４】
次に、本発明に係るヘッド脱着治具及びヘッド交換治具を使用したヘッド交換手順（ヘッド交換工程）について図１１ないし図１６を参照して説明する。
【００５５】
まず、図１１を参照してヘッド交換治具及びヘッド脱着治具の固定手順（工程、以下同じ）について説明する。なお、図中の丸付き数字は順序を示している（以下の図でも同じとする。）。
【００５６】
図１１（ａ）に示すように、ヘッド交換治具３００の主走査交換治具３０１をヘッドアレイ５０の上方よりアレイベース部材５２にセットし、図１１（ｂ）に示すように、治具固定ネジ３１５で固定する。
【００５７】
その後、図１１（ｃ）に示すように、ヘッド脱着治具２００をヘッドアレイ５０の上方より交換するヘッド１０１に治具脱着ネジ２０６で固定する。
【００５８】
これらの固定作業においては、治具上方に設けられた専用のネジである治具固定ネジ３１５、治具脱着ネジ２０６を回転することで固定が完了するので、深く狭いエリアの底部へのドライバーアクセスによる作業性の悪さやネジ脱落の不具合が解消される。
【００５９】
次に、図１２を参照して交換するヘッドの固定ネジを外す手順について説明する。
【００６０】
図１２（ａ）に示すように、交換するヘッド１０１に固定したヘッド脱着治具２００の中間ビット２０２を回転させて、図１２（ｂ）に示すように、ヘッド固定ネジ１１０を外す。
【００６１】
ここで、図１２（ｂ）のＡ部はヘッド固定ネジ１１０を緩める前の状態、Ｂ部はヘッド固定ネジ１１０を緩めて外した状態を示している。特に、緩めて外されたヘッド固定ネジ１１０は、中間ビット２０２とヘッド固定穴１０８に支持されるので脱落することなく、また、ドライバ作業も治具上部へのアクセスのため作業性が良い。
【００６２】
つまり、ヘッド１０１にヘッド脱着治具２００の治具脱着ネジ２０６を固定した状態でヘッド固定ネジ１１０を緩めて外すため、ヘッド固定ネジ１１０を緩めてもヘッド固定ネジ１１０には加圧バネ２０４による加圧が働き、ヘッド固定ネジ１１０は脱落しない。
【００６３】
次に、図１３を参照して交換するヘッドを取り外す手順について説明する。
【００６４】
図１３（ａ）に示すように、すべてのヘッド固定ネジ１１０を緩めて外した後、ヘッド脱着治具２００を持ち上げることによって、ヘッド１０１がヘッド脱着治具２００とともに取り外される。
【００６５】
このとき、ヘッド固定ネジ１１０は、図１３（ｂ）に示すように、緩めた状態ではＢ部の状態である。そして、ヘッド１０１を上方に持ち上げると、Ａ部の状態となって、ヘッド固定ネジ１１０は、ヘッド固定穴１０８に対して中間ビット２０２が押し付けているので、脱落等の不具合は生じない。
【００６６】
以上のヘッド１０１を取り外す工程についてまとめると、次のとおりである。
【００６７】
（１）ヘッド脱着治具２００の治具脱着ネジ２０６をヘッドタンク１０３の上部の治具固定用ネジ穴１０９に突き当てる。
（２）治具脱着ネジ２０６を回転させてヘッド脱着治具２００をヘッドタンク１０３に固定する。この状態で、中間ビット２０２がヘッド固定ネジ１１０を加圧し、ヘッド固定ネジ１１０はヘッド固定穴１０８に保持される。
（３）中間ビット２０２をドライバなどの締結工具を使用して、ヘッド固定ネジ１１０を緩める方向に回転させる。
（４）ヘッド脱着治具２００と固定されたヘッド１０１をアレイベース部材５２から取り外す。このとき、ヘッド固定ネジ１１０は中間ビット２０２で加圧された（押された）状態のため、中間ビット２０２とヘッド固定穴１０８の間で保持され、ネジが脱落することはなくなる。
【００６８】
次に、図１４を参照して新しいヘッドにヘッド脱着治具をセットする手順について説明する。
【００６９】
図１４（ａ）に示すように、新しいヘッド１０１のヘッド固定穴１０８にヘッド固定ネジ１１０をセットする。そして、新しいヘッド１０１に上方より、ヘッド脱着治具２００をセットする。
【００７０】
このとき、ヘッド脱着治具２００は、治具２００のガイド部２０５によってヘッドタンク１０３に対して、つまり、ヘッド１０１と水平方向の位置合わせが行われる。そして、治具２００の固定ネジ２０６で固定すると、治具２００の中間ビット２０２がヘッド固定ネジ１１０に嵌め合わさって、ヘッド固定ネジ１１０を保持した状態となる。
【００７１】
次に、図１５を参照して新しいヘッドをアレイベース部材に仮止めして位置調整する手順について説明する。
【００７２】
ここでは、ヘッド脱着治具２００がセットされた新しいヘッド１０１をヘッドアレイ上方よりセットする。そして、ヘッド脱着治具２００の中間ビット２０２を回転して、ヘッド固定ネジ１１０を位置調整できる程度に仮止めする。
【００７３】
その後、主走査治具３０１の主走査加圧バネ３１３、副走査加バネ３１４をセットし、ヘッド１０１の基準を主走査位置調整テーパーネジ３１２、副走査位置調整テーパーネジ３２２に突き当てて位置調整が可能な状態にする。
【００７４】
次に、図１６を参照して新しいヘッドのヘッド位置調整手順について説明する。
【００７５】
ここでは、ヘッド交換治具３００の主走査治具３０１及び副走査治具３０２の主走査位置調整テーパーネジ３１２、副走査位置調整テーパーネジ３２２を回転させて、ヘッド１０１の位置を調整する。ヘッド１０１の位置は、位置検出チャート等を出力し、調整量を読み取りながら行う。
【００７６】
そして、位置調整完了後、ヘッド脱着治具２００の中間ビット２０２をドライバなどの工具で回転させて、ヘッド固定ネジ１１０を締め付けてヘッド１０１をアレイベース部材５２に固定する。
【００７７】
次に、図１７を参照して治具を取り外す手順について説明する。
【００７８】
ここでは、副走査治具３０２の治具固定ネジ３１５を緩めて、副走査治具３０２をヘッドアレイ５０上方に取り外す。また、主走査治具３０１の治具固定ネジ３１５を緩めて、主走査治具３０１をヘッドアレイ５０の上方に取り外す。そして、ヘッド脱着治具２００の治具脱着ネジ２０６を緩めて、ヘッド脱着治具２００をヘッド１０１から上方に取り外す。
【００７９】
以上のようにしてヘッド交換が完了する。
【００８０】
このように、ヘッドに着脱可能なフレーム部材と、フレーム部材に回転及び進退動可能に保持された中間ビットと、を備え、中間ビットの先端部は、ヘッドの締結部材を回転させることが可能な形状を有し、中間ビットの頭頂部は、締結工具によって中間ビットを回転可能な形状を有していることで、狭くて深い位置で固定されているヘッドの交換を容易に行うことができるようになる。
【００８１】
つまり、フレーム部材が備える中間ビットを介して、ドライバを操作することにより、視認性が良く、比較的作業スペースも広い空間で、締結部材の回転を行うことができるため、ヘッド交換の作業性を向上させることができる。
【００８２】
次に、本発明の第２実施形態に係るヘッド脱着治具について図１８を参照して説明する。図１８は同ヘッド脱着治具の斜視説明図である。
【００８３】
本実施形態では、前記第１実施形態のヘッド脱着治具における加圧バネ２０４を備えていない構成としている。
【００８４】
つまり、中間ビット２０２はヘッド固定ネジ１１０を回転させて緩め、締め付けるに必要な硬度を有していることが必要である。そのため、中間ビット２０２は、ＳＵＳ、鉄などの金属材料で形成されるので、中間ビット２０２の自重によって図１８で下方向に、つまり前述したヘッド固定ネジ１１０を押す方向に力が作用する。
【００８５】
したがって、加圧バネ２０４がなくとも、加圧バネ２０４によって加圧を付与した場合と同様の効果が得られる。
【００８６】
ただし、加圧力は自重であることから、ヘッド１０１を取り外すときの姿勢によっては、例えば上下が逆さになると、自重による加圧作用はなくなり、ヘッド固定ネジ１１０が脱落するおそれが生じる。そこで、前記第１実施形態のように加圧バネを要することで、ヘッド交換時の姿勢による不具合を解消できる。
【００８７】
また、中間ビット２０２に取り付けたＥ形止め輪２０３と治具フレーム２０１に設けたブラケット２０１ａ上部の寸法Ａはヘッド固定ネジ１１０の脱着に必要なストロークより大きく、かつ、ブラケット２０１ａ下部と中間ビット２０２の先端との間の寸法Ｂより小さい寸法とする。これにより、中間ビット２０２が治具フレーム２０１のブラケット２０１ａから脱落することなく、治具として一体化し、交換作業性が向上する。
【００８８】
なお、本願において、「用紙」とは材質を紙に限定するものではなく、ＯＨＰ、布、ガラス、基板などを含み、インク滴、その他の液体などが付着可能なものの意味である。被記録媒体、記録媒体、記録紙、記録用紙などと称されるものを含む。また、画像形成、記録、印字、印写、印刷はいずれも同義語とする。
【００８９】
また、「画像形成装置」は、紙、糸、繊維、布帛、皮革、金属、プラスチック、ガラス、木材、セラミックス等の媒体に液体を吐出して画像形成を行う装置を意味する。また、「画像形成」とは、文字や図形等の意味を持つ画像を媒体に対して付与することだけでなく、パターン等の意味を持たない画像を媒体に付与すること（単に液滴を媒体に着弾させること）をも意味する。
【００９０】
また、「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【００９１】
また、「画像」とは平面的なものに限らず、立体的に形成されたものに付与された画像、また立体自体を三次元的に造形して形成された像も含まれる。
【符号の説明】
【００９２】
５  ヘッド部
５０  ヘッドアレイ
５２  アレイベース部材
１０１  ヘッド
２００  ヘッド脱着治具
２０２  中間ビット
２０６  治具脱着ネジ
３００  ヘッド交換治具
３０７  治具固定ネジ
【図１】
2014162220.tif 000003
【図２】
2014162220.tif 000004
【図３】
2014162220.tif 000005
【図４】
2014162220.tif 000006
【図５】
2014162220.tif 000007
【図６】
2014162220.tif 000008
【図７】
2014162220.tif 000009
【図８】
2014162220.tif 000010
【図９】
2014162220.tif 000011
【図１０】
2014162220.tif 000012
【図１１】
2014162220.tif 000013
【図１２】
2014162220.tif 000014
【図１３】
2014162220.tif 000015
【図１４】
2014162220.tif 000016
【図１５】
2014162220.tif 000017
【図１６】
2014162220.tif 000018
【図１７】
2014162220.tif 000019
【図１８】
2014162220.tif 000020